(57)【要約】【課題】フィルタの清掃能力の低下を抑えることができるフィルタ清掃機構および空気調和機を提供する。【解決手段】空気調和機のフィルタ清掃機構４０は、透過する空気から塵埃を除去するフィルタ２１と、ブラシ部７２と、ブラシ駆動部７３と、ブラシ清掃部７４とを備える。ブラシ部７２は、芯材７６と、芯材７６の周面に設けられた複数の線材７７とを有し、線材７７がフィルタ２１に接触することによりフィルタ２１から塵埃を除去する。ブラシ駆動部７３は、ブラシ部７２を回転させる。ブラシ清掃部７４は、ブラシ部７２の回転軸方向に沿って配置されブラシ部７２に接触する櫛状の形状を有し、ブラシ部７２が回転することによってブラシ部７２から塵埃を掻き落とす。【選択図】図３
2008145056.tif 000002
【特許請求の範囲】
【請求項１】
透過する空気から塵埃を除去するフィルタ（２１）と、
芯材（７６）と、前記芯材（７６）の周面に設けられた複数の線材（７７）とを有し、前記線材（７７）が前記フィルタ（２１）に接触することにより前記フィルタ（２１）から塵埃を除去するブラシ部（７２）と、
前記ブラシ部（７２）を回転させるブラシ駆動部（７３）と、
前記ブラシ部（７２）の回転軸方向に沿って配置され前記ブラシ部（７２）に接触する櫛状の形状を有し、前記ブラシ部（７２）が回転することによって前記ブラシ部（７２）から塵埃を掻き落とすブラシ清掃部（７４）と、
を備える空気調和機（１）のフィルタ清掃機構（４０）。
【請求項２】
前記ブラシ清掃部（７４）の櫛歯（７９）の間の谷部（７９ａ）は、前記線材（７７）が描く円状の軌跡の外周よりも半径方向内側に位置している、
請求項１に記載の空気調和機（１）のフィルタ清掃機構（４０）。
【請求項３】
前記芯材（７６）には前記線材（７７）の束（７８）が所定間隔を隔てて複数設けられており、
前記ブラシ部（７２）が回転することによって、前記線材（７７）の複数の束（７８）が前記ブラシ清掃部（７４）の櫛歯（７９）の１つの谷部（７９ａ）に導かれるように、前記線材（７７）の束（７８）の配置および前記ブラシ清掃部（７４）の櫛歯（７９）の配置が設定されている、
請求項２に記載の空気調和機（１）のフィルタ清掃機構（４０）。
【請求項４】
前記ブラシ清掃部（７４）の下方に配置される塵埃受け部（７５）をさらに備え、
前記ブラシ清掃部（７４）は、前記芯材（７６）よりも下側において前記線材（７７）に接触する、
請求項１から３のいずれかに記載の空気調和機（１）のフィルタ清掃機構（４０）。
【請求項５】
前記ブラシ清掃部（７４）は、鉛直方向に対して、前記線材（７７）が前記ブラシ清掃部（７４）の櫛歯（７９）に向かう方向と反対側に傾斜している、
請求項４に記載の空気調和機（１）のフィルタ清掃機構（４０）。
【請求項６】
前記ブラシ清掃部（７４）が取り付けられ又は一体化され、前記ブラシ部（７２）が着脱可能に取り付けられるフレーム部（７１）をさらに備え、
前記ブラシ清掃部（７４）は、前記ブラシ部（７２）の取り外し方向への前記芯材（７６）の軌跡に交差しないように設けられている、
請求項１から５のいずれかに記載の空気調和機（１）のフィルタ清掃機構（４０）。
【請求項７】
請求項１から６のいずれかに記載のフィルタ清掃機構（４０）を備える空気調和機（１）。
【発明の詳細な説明】
【技術分野】
【０００１】
本発明は、空気調和機のフィルタ清掃機構および空気調和機に関する。
【背景技術】
【０００２】
空気調和機には、通常、室内から取り込まれた空気から塵埃を除去するフィルタが備えられているが、このフィルタに塵埃が付着して堆積すると通風抵抗が増大してしまう。このため、フィルタを自動的に清掃するフィルタ清掃機構を備えた空気調和機が提案されている（特許文献１参照）。
【０００３】
この種のフィルタ清掃機構では、ブラシ部がフィルタ表面に接触することにより、フィルタから塵埃を除去してフィルタを清掃することができる。一方、ブラシ部に付着した塵埃は、ブラシ部に接触するように突設された埃落とし片によってブラシ部から払い落とされて除去される。
【特許文献１】実開昭６２−１６０２２１号公報
【発明の開示】
【発明が解決しようとする課題】
【０００４】
しかし、上記のような埃落とし片では、ブラシ部から埃を十分に除去することは困難であり、取り損なわれた埃がブラシ部に蓄積されると、ブラシ部によるフィルタの清掃能力が低下する恐れがある。
【０００５】
本発明の課題は、フィルタの清掃能力の低下を抑えることができるフィルタ清掃機構および空気調和機を提供することにある。
【課題を解決するための手段】
【０００６】
第１発明に係る空気調和機のフィルタ清掃機構は、透過する空気から塵埃を除去するフィルタと、ブラシ部と、ブラシ駆動部と、ブラシ清掃部とを備える。ブラシ部は、芯材と、芯材の周面に設けられた複数の線材とを有し、線材がフィルタに接触することによりフィルタから塵埃を除去する。ブラシ駆動部は、ブラシ部を回転させる。ブラシ清掃部は、ブラシ部の回転軸方向に沿って配置されブラシ部に接触する櫛状の形状を有し、ブラシ部が回転することによってブラシ部から塵埃を掻き落とす。
【０００７】
この空気調和機のフィルタ清掃機構では、櫛状のブラシ清掃部が、ブラシ部の線材の間に挟まった塵埃を容易に掻き落とすことができる。このため、ブラシ部から埃を十分に除去することができ、フィルタ清掃能力の低下を抑えることができる。
【０００８】
第２発明に係る空気調和機のフィルタ清掃機構は、第１発明の空気調和機のフィルタ清掃機構であって、ブラシ清掃部の櫛歯の間の谷部は、線材が描く円状の軌跡の外周よりも半径方向内側に位置している。
【０００９】
この空気調和機のフィルタ清掃機構では、ブラシ部が回転することによって、ブラシ部の線材が、ブラシ清掃部の櫛歯の間に導かれ、櫛歯の間の谷部においてしごかれる。これによって、塵埃を線材からより十分に掻き落とすことができる。
【００１０】
第３発明に係る空気調和機のフィルタ清掃機構は、第２発明の空気調和機のフィルタ清掃機構であって、芯材には線材の束が所定間隔を隔てて複数設けられている。そして、ブラシ部が回転することによって、線材の複数の束がブラシ清掃部の櫛歯の１つの谷部に導かれるように、線材の束の配置およびブラシ清掃部の櫛歯の配置が設定されている。
【００１１】
この空気調和機のフィルタ清掃機構では、ブラシ部が回転することによって、線材の複数の束が櫛歯の１つの谷部に導かれる。このため、櫛歯の間に導かれる線材の密度が高くなり、塵埃を線材からより十分に掻き落とすことができる。
【００１２】
第４発明に係る空気調和機のフィルタ清掃機構は、第１発明から第３発明のいずれかの空気調和機のフィルタ清掃機構であって、ブラシ清掃部の下方に配置される塵埃受け部をさらに備える。そして、ブラシ清掃部は、芯材よりも下側において線材に接触する。
【００１３】
この空気調和機のフィルタ清掃機構では、ブラシ清掃部が芯材よりも下側において線材に接触することにより、掻き落とされた塵埃が効率よく下方に落とされて塵埃受け部に溜められる。このため、ブラシ部から除去された塵埃の処理が容易である。
【００１４】
第５発明に係る空気調和機のフィルタ清掃機構は、第４発明の空気調和機のフィルタ清掃機構であって、ブラシ清掃部は、鉛直方向に対して、線材がブラシ清掃部の櫛歯に向かう方向と反対側に傾斜している。
【００１５】
この空気調和機のフィルタ清掃機構では、ブラシ清掃部が、鉛直方向に対して、線材がブラシ清掃部の櫛歯に向かう方向と反対側に傾斜している。このため、ブラシ部から塵埃をより効率よく掻き落とすことができる。また、ブラシ部から除去された塵埃が櫛歯を乗り越えてブラシ部に戻り難くすることができる。
【００１６】
第６発明に係る空気調和機のフィルタ清掃機構は、第１発明から第５発明のいずれかの空気調和機のフィルタ清掃機構であって、フレーム部をさらに備える。フレーム部は、ブラシ清掃部が取り付けられ又は一体化され、ブラシ部が着脱可能に取り付けられる。そして、ブラシ清掃部は、ブラシ部の取り外し方向への芯材の軌跡に交差しないように設けられている。
【００１７】
この空気調和機のフィルタ清掃機構では、ブラシ清掃部が、ブラシ部の取り外し方向への芯材の軌跡に交差しないように設けられているため、ブラシ部の取り外し時にブラシ清掃部に干渉することを抑えることができる。このため、ブラシ部をフレーム部から容易に取り外すことができる。
【００１８】
第７発明に係る空気調和機は、第１発明から第６発明のいずれかに記載のフィルタ清掃機構を備える。
【００１９】
この空気調和機では、フィルタ清掃機構において、櫛状のブラシ清掃部が、ブラシ部の線材の間に挟まった塵埃を容易に掻き落とすことができる。このため、ブラシ部から埃を十分に除去することができ、フィルタ清掃能力の低下を抑えることができる。
【発明の効果】
【００２０】
第１発明に係る空気調和機のフィルタ清掃機構では、櫛状のブラシ清掃部が、ブラシ部の線材の間に挟まった塵埃を容易に掻き落とすことができる。このため、ブラシ部から埃を十分に除去することができ、フィルタ清掃能力の低下を抑えることができる。
【００２１】
第２発明に係る空気調和機のフィルタ清掃機構では、ブラシ部が回転することによって、ブラシ部の線材が、ブラシ清掃部の櫛歯の間に導かれ、櫛歯の間の谷部においてしごかれる。これによって、塵埃を線材からより十分に掻き落とすことができる。
【００２２】
第３発明に係る空気調和機のフィルタ清掃機構では、ブラシ部が回転することによって、線材の複数の束が櫛歯の１つの谷部に導かれる。このため、櫛歯の間に導かれる線材の密度が高くなり、塵埃を線材からより十分に掻き落とすことができる。
【００２３】
第４発明に係る空気調和機のフィルタ清掃機構では、ブラシ清掃部が芯材よりも下側において線材に接触することにより、掻き落とされた塵埃が効率よく下方に落とされて塵埃受け部に溜められる。このため、ブラシ部から除去された塵埃の処理が容易である。
【００２４】
第５発明に係る空気調和機のフィルタ清掃機構では、ブラシ清掃部が、鉛直方向に対して、線材がブラシ清掃部の櫛歯に向かう方向と反対側に傾斜している。このため、ブラシ部から塵埃をより効率よく掻き落とすことができる。また、ブラシ部から除去された塵埃が櫛歯を乗り越えてブラシ部に戻り難くすることができる。
【００２５】
第６発明に係る空気調和機のフィルタ清掃機構では、ブラシ清掃部が、ブラシ部の取り外し方向への芯材の軌跡に交差しないように設けられているため、ブラシ部の取り外し時にブラシ清掃部に干渉することを抑えることができる。このため、ブラシ部をフレーム部から容易に取り外すことができる。
【００２６】
第７発明に係る空気調和機では、フィルタ清掃機構において、櫛状のブラシ清掃部が、ブラシ部の線材の間に挟まった塵埃を容易に掻き落とすことができる。このため、ブラシ部から埃を十分に除去することができ、フィルタ清掃能力の低下を抑えることができる。
【発明を実施するための最良の形態】
【００２７】
＜空気調和機の構成＞
本発明の一実施形態に係る空気調和機１を図１および図２に示す。この空気調和機１は、室内の壁面に取り付けられる壁掛け型の室内機であり、図示しない室外機と冷媒配管及び通信線によって接続される。空気調和機１は、本体ユニット１０と、前面グリル５０と、前面パネル６０と、フィルタ清掃機構４０とを備えている。なお、図１は空気調和機１の分解斜視図であり、図２は空気調和機１の縦断面図である。
【００２８】
〔本体ユニット１０〕
本体ユニット１０は、底フレーム１１、室内熱交換器１２、送風ファン１３、電装品ユニット１４等を有する。
【００２９】
底フレーム１１には、室内熱交換器１２、送風ファン１３、電装品ユニット１４等が取り付けられている。また、底フレーム１１の前面下部には、吹出し口１５が設けられており、吹出し口１５から吹き出される空気を案内する水平フラップ１７が設けられている。水平フラップ１７は、フラップモータ１８（図７参照）によって回転駆動され、空気の案内方向を変更したり、吹出し口１５を開閉したりすることができる。
【００３０】
室内熱交換器１２は、複数のフィンと、冷媒が流れる伝熱管とによって構成されており、通過する空気との間で熱交換を行う。
【００３１】
送風ファン１３は、室内から取り込まれ室内熱交換器１２によって温度調整された後に吹出し口１５から室内に吹き出される空気の流れを生成する。送風ファン１３は、クロスフローファンであり、室内ファンモータ１９（図７参照）によって回転駆動される。
【００３２】
〔前面グリル５０および前面パネル６０〕
前面グリル５０は、後述するフィルタユニット２０を覆うように取り付けられている。図１に示すように、前面グリル５０の天面には上部吸込み口５１が形成されており、前面グリル５０の前面には前部吸込み口５２が形成されている。前面グリル５０の前面には、前面グリルの前面を覆うように前面パネル６０が取り付けられている。前面パネル６０は下端部を中心に回動することによって、前面グリル５０の前部吸込み口５２を開閉することができる。
【００３３】
また、前面グリル５０には、空気調和機１の運転状況を表示する表示部５３（図７参照）が設けられている。表示部５３は、空気調和機１の前方から視認可能なように設けられている。表示部５３は、複数のＬＥＤからなり、点灯の有無で空気調和機１の運転状況を表示する。
【００３４】
〔フィルタ清掃機構４０〕
フィルタ清掃機構４０は、フィルタ２１に付着した塵埃を自動的に清掃する機構であり、フィルタユニット２０とブラシユニット７０とを備える。
【００３５】
〈フィルタユニット２０〉
フィルタユニット２０は、本体ユニット１０の底フレーム１１に取り付けられており、フィルタユニットフレーム２２、フィルタ２１、フィルタ駆動ギア２３、フィルタ駆動部２４（図７参照）などを備えている。
【００３６】
フィルタユニットフレーム２２は、フィルタ２１を支持する部材であり、室内熱交換器１２よりも風上側に配置されている。フィルタユニットフレーム２２は、室内熱交換器１２の前方および上方を覆うように屈曲した形状を有しており、フィルタユニットフレーム２２の室内熱交換器１２に対向する部分には格子状の開口が設けられている。また、図２に示すように、フィルタユニットフレーム２２の内側面には、フィルタ２１の側端部に接触してフィルタ２１を案内するガイド部２５が形成されている。ガイド部２５は、フィルタユニットフレーム２２の上面に沿って設けられた上ガイド部２６と、フィルタユニットフレーム２２の前面に沿って緩やかに湾曲した形状を有する前ガイド部２７と、フィルタユニットフレーム２２の背面に沿って緩やかに湾曲した後ガイド部２８と、前ガイド部２７の下端と後ガイド部２８の下端との下方に配置された下ガイド部２９とを有する。なお、前ガイド部２７の上端と後ガイド部２８の上端とはそれぞれ上ガイド部２６と繋がっている。また、下ガイド部２９は、前ガイド部２７から後ガイド部２８へ又は後ガイド部２８から前ガイド部２７へフィルタ２１を折り返すように下に凸に湾曲した円弧状の形状を有している。
【００３７】
フィルタ２１は、室内および室外から取り込まれた空気が透過するように室内熱交換器１２の前面側（風上側）に配置されており、透過した空気から塵埃を除去する。これにより、フィルタ２１は、空気中に浮遊する塵埃が室内熱交換器１２を汚染するのを防止する。なお、フィルタ２１は、上下対称の形状を有しており、上下どちらの向きからでもフィルタユニットフレーム２２に取付可能となっている。また、フィルタ２１は左右に並んで同形状のものが２つ設けられており、これらのフィルタ２１はフィルタユニットフレーム２２の左右どちらの取付位置にも取付可能となっている。
【００３８】
フィルタ駆動ギア２３は、下ガイド部２９に対してフィルタ２１が通る隙間を隔てて下ガイド部２９の上方に配置されている。フィルタ駆動ギア２３は、フィルタ２１の側端部に係止し、フィルタ駆動部２４によって回転駆動されることによって、フィルタ２１をガイド部２５に沿って移動させる。
【００３９】
フィルタ駆動部２４は、後述する制御部８０によって制御されるモータであり、フィルタユニットフレーム２２に取り付けられている。フィルタ駆動部２４は、上述したようにフィルタ駆動ギア２３を回転駆動する。
【００４０】
〈ブラシユニット７０〉
ブラシユニット７０は、フィルタ２１の清掃を行う機能を有するものであり、前面パネル６０の下部において、本体ユニット１０の吹出し口１５の上部位置に取り付けられている。このブラシユニット７０は、前面パネル６０が閉じた状態で、前面パネル６０とは干渉することなく、外部から着脱可能である。ブラシユニット７０は、フレーム部７１と、ブラシ部７２と、ブラシ駆動部７３（図７参照）と、ブラシ清掃部７４と、塵埃受け部７５とを有する。
【００４１】
フレーム部７１は、図３に示すように、空気調和機１の長手方向に沿った細長い外形を有しており、ブラシ部７２が着脱可能に取り付けられる。なお、図３は、塵埃受け部７５が取り外された状態のブラシユニット７０を斜め下方から見た斜視図である。また、図４に示すように、フレーム部７１の上面には開口７１ａが形成されており、フレーム部７１の上面の開口７１ａを通してブラシ部７２がフレーム部７１の上方の空間に露出している。なお、図４は、ブラシユニット７０の縦断面図である。フレーム部７１は、下ガイド部２９において折り返される際のフィルタ２１の折返し部分の下方に位置するように配置されており（図２参照）、フレーム部７１の上面の開口７１ａを通してブラシ部７２がフィルタ２１の折返し部分に接触するように構成されている。また、フレーム部７１の下面は開放されており、塵埃受け部７５によって閉じられる。
【００４２】
ブラシ部７２は、図４に示すように、芯材７６と、芯材７６の周面に設けられた複数の線材７７とを有し、線材７７がフィルタ２１に接触することによりフィルタ２１から塵埃を除去する。芯材７６は、空気調和機１の長手方向に平行な回転軸７６ａを有する細長い円筒形状を有しており（図３参照）、ブラシ駆動部７３によって回転駆動される。ここで、芯材７６の表面には、図５に示すように、複数の線材７７がまとまって構成された束７８が複数設けられており、複数の束７８が所定間隔を隔てて配置されている。具体的には、細長いテープ上において、テープの幅方向に４列、長手方向に多数列の線材７７の束７８が配列されており、このテープが芯材７６の周面に螺旋状に巻回されることによって、芯材７６の周面に線材７７の複数の束７８が所定間隔で配置されている。なお、図５では、線材７７の束７８を簡略化して円で表し、その１つのみに符号を付して他は省略している。
【００４３】
ブラシ駆動部７３は、後述する制御部８０によって制御されるモータであり、ブラシ部７２を回転駆動する。
【００４４】
ブラシ清掃部７４は、フレーム部７１の下端に取り付けられており、ブラシ部７２の回転軸７６ａの軸方向に沿って配置されブラシ部７２に接触する櫛状の形状を有する（図３参照）。ブラシ清掃部７４は、ブラシ部７２の線材７７に接触しており、ブラシ部７２が回転することによって、ブラシ部７２から塵埃を掻き落とすことができる。図５に示すように、ブラシ清掃部７４の櫛歯７９は先細りの山形の形状を有しており、線材７７の複数の束７８が櫛歯７９の間の谷部７９ａに導かれ易くなっている。また、線材７７の束７８の配置およびブラシ清掃部７４の櫛歯７９の配置は、ブラシ部７２が回転することによって線材７７の複数の束７８がブラシ清掃部７４の櫛歯７９の１つの谷部７９ａに導かれるように設定されている。すなわち、近接する２つの束７８の軸方向のピッチＰ１は、櫛歯７９の山部７９ｂの頂点間のピッチＰ２よりも小さく設定されており、２つの束７８が１つの谷部７９ａに導かれ易くなっている。また、近接する２つの束７８と他の近接する２つの束７８との間のピッチＰ３は、近接する２つの束７８の間のピッチＰ１よりも大きく設定されており、一部の谷部７９ａに過度に多くの束７８が集中しないようにされている。
【００４５】
さらに、図４に示すように、ブラシ清掃部７４は、フレーム部７１の背面の下端部からブラシ部７２に向けて斜め前上方に突出するように設けられており、鉛直方向に対して、線材７７がブラシ清掃部７４の櫛歯７９に向かう方向（図４の矢印Ａ１参照）と反対側に傾斜している。そして、ブラシ清掃部７４は、芯材７６よりも下側において線材７７の先端部に接触するように且つ芯材７６の中心の真下よりも後方に配置されており、ブラシ清掃部７４の櫛歯７９の間の谷部７９ａおよび山部７９ｂは、線材７７が描く円状の軌跡の外周７７ａよりも半径方向内側に位置している。なお、図６に示すように、ブラシ清掃部７４は、ブラシ部７２の取り外し方向（矢印Ａ２参照）への芯材７６の軌跡７６ａに交差しないように、芯材７６の軌跡７６ａの下側に設けられている。
【００４６】
塵埃受け部７５は、図４に示すように、フレーム部７１に取り付けられた状態でブラシ清掃部７４の下方に配置される。塵埃受け部７５は、ブラシ清掃部７４によってブラシ部７２から掻き落とされた塵埃をブラシ清掃部７４の下方で受け止め、貯留することができる。また、塵埃受け部７５は、フレーム部７１に着脱可能に取り付けられているため、塵埃受け部７５を取り外すことによって、塵埃受け部７５に貯留された塵埃を容易に処理することができる。
【００４７】
〔制御部８０〕
図７に示す制御部８０は、空気調和機１の電装品ユニット１４と室外機の電装品ユニット（図示せず）とに分かれて設けられており、リモコン８１からの指示や、各種のセンサ（図示せず）からの情報に基づいて、冷房運転や暖房運転などの各種の空気調和運転を行うことができる。また、この空気調和機１では、フィルタ２１を自動的に清掃するフィルタ清掃運転を行うことができる。以下、フィルタ清掃運転時の動作について説明する。
【００４８】
まず、上記の空気調和運転時には、フィルタ２１が図２に示す通常位置に位置した状態で運転が行われる。この通常位置では、フィルタ２１は、上ガイド部２６、前ガイド部２７に沿って配置されており、フィルタ２１の下端はフィルタ駆動ギア２３と下ガイド部２９との間に位置している。そして、前回のフィルタ清掃運転の実行から所定時間が経過した等の所定のフィルタ清掃運転開始条件が満たされた場合に、フィルタ清掃運転が開始される。
【００４９】
まず、制御部８０は、図２の状態から、フィルタ駆動部２４を駆動することによりフィルタ２１を移動させると共に、ブラシ駆動部７３を駆動することによってブラシ部７２を回転駆動する。そうすると、フィルタ２１の上部が上ガイド部２６に沿って下降すると共に、フィルタ２１の下部は下ガイド部２９において上方に折り返され、後ガイド部２８に沿って上昇していく。この際、ブラシ部７２も回転しており、ブラシ部７２の上部がフレーム部７１の開口７１ａ（図４参照）を通してフィルタ２１の表面に接触することにより、フィルタ２１の表面から塵埃を除去する。また、ブラシ部７２の下部はブラシ清掃部７４に接触しており、ブラシ部７２が回転することにより、ブラシ部７２に付着していた塵埃がブラシ清掃部７４の櫛歯７９によってブラシ部７２から塵埃受け部７５に掻き落とされる。フィルタ２１の上端が下ガイド部２９まで達すると、フィルタ駆動部２４が停止され、フィルタ２１の移動が停止する。
【００５０】
次に、フィルタ駆動部２４が逆方向に駆動され、フィルタ２１が上記とは逆方向に移動する。この際、ブラシ駆動部７３の駆動は停止されている。そして、フィルタ２１が、図２に示す通常使用位置にまで復帰したときにフィルタ駆動部２４が停止され、フィルタ清掃運転が完了する。
【００５１】
なお、このフィルタ清掃運転時には、前面パネル６０および水平フラップ１７は共に閉状態とされる。
【００５２】
＜特徴＞
（１）
この空気調和機１では、ブラシ部７２が回転することによって、ブラシ部７２の線材７７が、ブラシ清掃部７４の櫛歯７９の間に導かれ、櫛歯７９の間の谷部７９ａにおいてしごかれる。これによって、ブラシ部７２の線材７７の間に挟まった塵埃を容易に掻き落とすことができる。このため、ブラシ部７２から埃を十分に除去することができ、フィルタ清掃能力の低下を抑えることができる。
【００５３】
また、ブラシ部７２の線材７７の束７８およびブラシ清掃部７４の櫛歯７９が上記のように配置されることにより、ブラシ部７２が回転することによって、線材７７の複数の束７８が櫛歯７９の１つの谷部７９ａに導かれる。このため、櫛歯７９の間に導かれる線材７７の密度が高くなり、塵埃を線材７７からより十分に掻き落とすことができる。
【００５４】
さらに、ブラシ清掃部７４は、鉛直方向に対して、線材７７がブラシ清掃部７４の櫛歯７９に向かう方向と反対側に傾斜している。このため、ブラシ部７２の塵埃をより効率よく掻き落とすことができる。また、ブラシ部７２から除去された塵埃が下方に落下し易くなっており、塵埃が櫛歯７９を乗り越えてブラシ部７２に戻り難くなっている。
【００５５】
（２）
この空気調和機１では、ブラシ清掃部７４が、ブラシ部７２の取り外し方向への芯材７６の軌跡に交差しないように設けられているため、ブラシ部７２の取り外し時にブラシ清掃部７４に干渉し難くなっている。このため、ブラシ部７２をフレーム部７１から取り外す際にブラシ清掃部７４が邪魔にならず、ブラシ部７２を容易に取り外すことができる。
【００５６】
＜他の実施形態＞
（１）
上記の実施形態では、ブラシ清掃部７４はフレーム部７１に取り付けられているが、ブラシ清掃部７４がフレーム部７１に一体化されていてもよい。
【００５７】
（２）
上記の実施形態では、ブラシ部７２の線材７７の束７８は、テープの幅方向に４つ配列されているが、束７８の数はこれに限られるものではない。また、上記の実施形態では、２つの束７８がブラシ清掃部７４の１つの谷部７９ａに導かれるように線材７７の束７８および櫛歯７９のピッチＰ１，Ｐ２が設定されているが、抵抗が過度に大きくならない範囲内で２つ以上の束７８が１つの谷部７９ａに導かれるようにピッチが設定されてもよい。
【００５８】
（３）
上記のフィルタ２１を正方形の外形に形成して、９０度ずつ回転させたいずれの状態でもフィルタユニットフレーム２２に取付可能としてもよい。また、フィルタ２１の表裏を同形状とすることにより、裏表いずれの向きでもフィルタユニットフレーム２２に取付可能としてもよい。
【産業上の利用可能性】
【００５９】
本発明は、フィルタの清掃能力の低下を抑えることができる効果を有し、フィルタ清掃機構および空気調和機として有用である。
【図面の簡単な説明】
【００６０】
【図１】空気調和機の分解斜視図。
【図２】空気調和機の縦断面図。
【図３】ブラシユニットの斜視図。
【図４】ブラシユニットの縦断面図。
【図５】櫛歯と線材の束との位置関係を示す図。
【図６】ブラシ部を取り外す際の軌跡を示す図。
【図７】空気調和機の制御ブロック図。
【符号の説明】
【００６１】
１      空気調和機
２１    フィルタ
４０    フィルタ清掃機構
７１    フレーム部
７２    ブラシ部
７３    ブラシ駆動部
７４    ブラシ清掃部
７５    塵埃受け部
７６    芯材
７７    線材
７８    線材の束
７９    櫛歯
７９ａ  谷部
【図１】
2008145056.tif 000003
【図２】
2008145056.tif 000004
【図３】
2008145056.tif 000005
【図４】
2008145056.tif 000006
【図５】
2008145056.tif 000007
【図６】
2008145056.tif 000008
【図７】
2008145056.tif 000009
【手続補正書】
【提出日】平成20年3月19日(2008.3.19)
【手続補正１】
【補正対象書類名】特許請求の範囲
【補正対象項目名】全文
【補正方法】変更
【補正の内容】
【特許請求の範囲】
【請求項１】
透過する空気から塵埃を除去するフィルタ（２１）と、
芯材（７６）と、前記芯材（７６）の周面に設けられた複数の線材（７７）とを有し、前記線材（７７）が前記フィルタ（２１）に接触することにより前記フィルタ（２１）から塵埃を除去するブラシ部（７２）と、
前記ブラシ部（７２）を回転させるブラシ駆動部（７３）と、
前記ブラシ部（７２）の回転軸方向に沿って配置され前記ブラシ部（７２）に接触する櫛状の形状を有し、前記ブラシ部（７２）が回転することによって前記ブラシ部（７２）から塵埃を掻き落とすブラシ清掃部（７４）と、
前記ブラシ清掃部（７４）が取り付けられ又は一体化され、前記ブラシ部（７２）が着脱可能に取り付けられるフレーム部（７１）と、
を備え、
前記ブラシ清掃部（７４）は、前記ブラシ部（７２）の取り外し方向への前記芯材（７６）の軌跡に交差しないように設けられている、
空気調和機（１）のフィルタ清掃機構（４０）。
【請求項２】
前記ブラシ清掃部（７４）の櫛歯（７９）の間の谷部（７９ａ）は、前記線材（７７）が描く円状の軌跡の外周よりも半径方向内側に位置している、
請求項１に記載の空気調和機（１）のフィルタ清掃機構（４０）。
【請求項３】
前記芯材（７６）には前記線材（７７）の束（７８）が所定間隔を隔てて複数設けられており、
前記ブラシ部（７２）が回転することによって、前記線材（７７）の複数の束（７８）が前記ブラシ清掃部（７４）の櫛歯（７９）の１つの谷部（７９ａ）に導かれるように、前記線材（７７）の束（７８）の配置および前記ブラシ清掃部（７４）の櫛歯（７９）の配置が設定されている、
請求項２に記載の空気調和機（１）のフィルタ清掃機構（４０）。
【請求項４】
前記ブラシ清掃部（７４）の下方に配置される塵埃受け部（７５）をさらに備え、
前記ブラシ清掃部（７４）は、前記芯材（７６）よりも下側において前記線材（７７）に接触する、
請求項１から３のいずれかに記載の空気調和機（１）のフィルタ清掃機構（４０）。
【請求項５】
前記ブラシ清掃部（７４）は、鉛直方向に対して、前記線材（７７）が前記ブラシ清掃部（７４）の櫛歯（７９）に向かう方向と反対側に傾斜している、
請求項４に記載の空気調和機（１）のフィルタ清掃機構（４０）。
【請求項６】
前記ブラシ清掃部（７４）は、前記ブラシ部（７２）の芯材（７６）の中心の真下よりも後方に配置されている、
請求項１から５のいずれかに記載の空気調和機（１）のフィルタ清掃機構（４０）。
【請求項７】
請求項１から６のいずれかに記載のフィルタ清掃機構（４０）を備える空気調和機（１）。
【手続補正２】
【補正対象書類名】明細書
【補正対象項目名】全文
【補正方法】変更
【補正の内容】
【発明の詳細な説明】
【技術分野】
【０００１】
本発明は、空気調和機のフィルタ清掃機構および空気調和機に関する。
【背景技術】
【０００２】
空気調和機には、通常、室内から取り込まれた空気から塵埃を除去するフィルタが備えられているが、このフィルタに塵埃が付着して堆積すると通風抵抗が増大してしまう。このため、フィルタを自動的に清掃するフィルタ清掃機構を備えた空気調和機が提案されている（特許文献１参照）。
【０００３】
この種のフィルタ清掃機構では、ブラシ部がフィルタ表面に接触することにより、フィルタから塵埃を除去してフィルタを清掃することができる。一方、ブラシ部に付着した塵埃は、ブラシ部に接触するように突設された埃落とし片によってブラシ部から払い落とされて除去される。
【特許文献１】実開昭６２−１６０２２１号公報
【発明の開示】
【発明が解決しようとする課題】
【０００４】
しかし、上記のような埃落とし片では、ブラシ部から埃を十分に除去することは困難であり、取り損なわれた埃がブラシ部に蓄積されると、ブラシ部によるフィルタの清掃能力が低下する恐れがある。
【０００５】
本発明の課題は、フィルタの清掃能力の低下を抑えることができるフィルタ清掃機構および空気調和機を提供することにある。
【課題を解決するための手段】
【０００６】
第１発明に係る空気調和機のフィルタ清掃機構は、透過する空気から塵埃を除去するフィルタと、ブラシ部と、ブラシ駆動部と、ブラシ清掃部と、フレーム部とを備える。ブラシ部は、芯材と、芯材の周面に設けられた複数の線材とを有し、線材がフィルタに接触することによりフィルタから塵埃を除去する。ブラシ駆動部は、ブラシ部を回転させる。ブラシ清掃部は、ブラシ部の回転軸方向に沿って配置されブラシ部に接触する櫛状の形状を有し、ブラシ部が回転することによってブラシ部から塵埃を掻き落とす。フレーム部は、ブラシ清掃部が取り付けられ又は一体化され、ブラシ部が着脱可能に取り付けられる。そして、ブラシ清掃部は、ブラシ部の取り外し方向への芯材の軌跡に交差しないように設けられている。
【０００７】
この空気調和機のフィルタ清掃機構では、櫛状のブラシ清掃部が、ブラシ部の線材の間に挟まった塵埃を容易に掻き落とすことができる。このため、ブラシ部から埃を十分に除去することができ、フィルタ清掃能力の低下を抑えることができる。
【０００８】
また、この空気調和機のフィルタ清掃機構では、ブラシ清掃部が、ブラシ部の取り外し方向への芯材の軌跡に交差しないように設けられているため、ブラシ部の取り外し時にブラシ清掃部に干渉することを抑えることができる。このため、ブラシ部をフレーム部から容易に取り外すことができる。
【０００９】
第２発明に係る空気調和機のフィルタ清掃機構は、第１発明の空気調和機のフィルタ清掃機構であって、ブラシ清掃部の櫛歯の間の谷部は、線材が描く円状の軌跡の外周よりも半径方向内側に位置している。
【００１０】
この空気調和機のフィルタ清掃機構では、ブラシ部が回転することによって、ブラシ部の線材が、ブラシ清掃部の櫛歯の間に導かれ、櫛歯の間の谷部においてしごかれる。これによって、塵埃を線材からより十分に掻き落とすことができる。
【００１１】
第３発明に係る空気調和機のフィルタ清掃機構は、第２発明の空気調和機のフィルタ清掃機構であって、芯材には線材の束が所定間隔を隔てて複数設けられている。そして、ブラシ部が回転することによって、線材の複数の束がブラシ清掃部の櫛歯の１つの谷部に導かれるように、線材の束の配置およびブラシ清掃部の櫛歯の配置が設定されている。
【００１２】
この空気調和機のフィルタ清掃機構では、ブラシ部が回転することによって、線材の複数の束が櫛歯の１つの谷部に導かれる。このため、櫛歯の間に導かれる線材の密度が高くなり、塵埃を線材からより十分に掻き落とすことができる。
【００１３】
第４発明に係る空気調和機のフィルタ清掃機構は、第１発明から第３発明のいずれかの空気調和機のフィルタ清掃機構であって、ブラシ清掃部の下方に配置される塵埃受け部をさらに備える。そして、ブラシ清掃部は、芯材よりも下側において線材に接触する。
【００１４】
この空気調和機のフィルタ清掃機構では、ブラシ清掃部が芯材よりも下側において線材に接触することにより、掻き落とされた塵埃が効率よく下方に落とされて塵埃受け部に溜められる。このため、ブラシ部から除去された塵埃の処理が容易である。
【００１５】
第５発明に係る空気調和機のフィルタ清掃機構は、第４発明の空気調和機のフィルタ清掃機構であって、ブラシ清掃部は、鉛直方向に対して、線材がブラシ清掃部の櫛歯に向かう方向と反対側に傾斜している。
【００１６】
この空気調和機のフィルタ清掃機構では、ブラシ清掃部が、鉛直方向に対して、線材がブラシ清掃部の櫛歯に向かう方向と反対側に傾斜している。このため、ブラシ部から塵埃をより効率よく掻き落とすことができる。また、ブラシ部から除去された塵埃が櫛歯を乗り越えてブラシ部に戻り難くすることができる。
【００１７】
第６発明に係る空気調和機のフィルタ清掃機構は、第１発明から第５発明のいずれかの空気調和機のフィルタ清掃機構であって、ブラシ清掃部は、ブラシ部の芯材の中心の真下よりも後方に配置されている。
【００１８】
第７発明に係る空気調和機は、第１発明から第６発明のいずれかに記載のフィルタ清掃機構を備える。
【００１９】
この空気調和機では、フィルタ清掃機構において、櫛状のブラシ清掃部が、ブラシ部の線材の間に挟まった塵埃を容易に掻き落とすことができる。このため、ブラシ部から埃を十分に除去することができ、フィルタ清掃能力の低下を抑えることができる。
【発明の効果】
【００２０】
第１発明に係る空気調和機のフィルタ清掃機構では、櫛状のブラシ清掃部が、ブラシ部の線材の間に挟まった塵埃を容易に掻き落とすことができる。このため、ブラシ部から埃を十分に除去することができ、フィルタ清掃能力の低下を抑えることができる。また、ブラシ清掃部が、ブラシ部の取り外し方向への芯材の軌跡に交差しないように設けられているため、ブラシ部の取り外し時にブラシ清掃部に干渉することを抑えることができる。このため、ブラシ部をフレーム部から容易に取り外すことができる。
【００２１】
第２発明に係る空気調和機のフィルタ清掃機構では、ブラシ部が回転することによって、ブラシ部の線材が、ブラシ清掃部の櫛歯の間に導かれ、櫛歯の間の谷部においてしごかれる。これによって、塵埃を線材からより十分に掻き落とすことができる。
【００２２】
第３発明に係る空気調和機のフィルタ清掃機構では、ブラシ部が回転することによって、線材の複数の束が櫛歯の１つの谷部に導かれる。このため、櫛歯の間に導かれる線材の密度が高くなり、塵埃を線材からより十分に掻き落とすことができる。
【００２３】
第４発明に係る空気調和機のフィルタ清掃機構では、ブラシ清掃部が芯材よりも下側において線材に接触することにより、掻き落とされた塵埃が効率よく下方に落とされて塵埃受け部に溜められる。このため、ブラシ部から除去された塵埃の処理が容易である。
【００２４】
第５発明に係る空気調和機のフィルタ清掃機構では、ブラシ清掃部が、鉛直方向に対して、線材がブラシ清掃部の櫛歯に向かう方向と反対側に傾斜している。このため、ブラシ部から塵埃をより効率よく掻き落とすことができる。また、ブラシ部から除去された塵埃が櫛歯を乗り越えてブラシ部に戻り難くすることができる。
【００２５】
第７発明に係る空気調和機では、フィルタ清掃機構において、櫛状のブラシ清掃部が、ブラシ部の線材の間に挟まった塵埃を容易に掻き落とすことができる。このため、ブラシ部から埃を十分に除去することができ、フィルタ清掃能力の低下を抑えることができる。
【発明を実施するための最良の形態】
【００２６】
＜空気調和機の構成＞
本発明の一実施形態に係る空気調和機１を図１および図２に示す。この空気調和機１は、室内の壁面に取り付けられる壁掛け型の室内機であり、図示しない室外機と冷媒配管及び通信線によって接続される。空気調和機１は、本体ユニット１０と、前面グリル５０と、前面パネル６０と、フィルタ清掃機構４０とを備えている。なお、図１は空気調和機１の分解斜視図であり、図２は空気調和機１の縦断面図である。
【００２７】
〔本体ユニット１０〕
本体ユニット１０は、底フレーム１１、室内熱交換器１２、送風ファン１３、電装品ユニット１４等を有する。
【００２８】
底フレーム１１には、室内熱交換器１２、送風ファン１３、電装品ユニット１４等が取り付けられている。また、底フレーム１１の前面下部には、吹出し口１５が設けられており、吹出し口１５から吹き出される空気を案内する水平フラップ１７が設けられている。水平フラップ１７は、フラップモータ１８（図７参照）によって回転駆動され、空気の案内方向を変更したり、吹出し口１５を開閉したりすることができる。
【００２９】
室内熱交換器１２は、複数のフィンと、冷媒が流れる伝熱管とによって構成されており、通過する空気との間で熱交換を行う。
【００３０】
送風ファン１３は、室内から取り込まれ室内熱交換器１２によって温度調整された後に吹出し口１５から室内に吹き出される空気の流れを生成する。送風ファン１３は、クロスフローファンであり、室内ファンモータ１９（図７参照）によって回転駆動される。
【００３１】
〔前面グリル５０および前面パネル６０〕
前面グリル５０は、後述するフィルタユニット２０を覆うように取り付けられている。図１に示すように、前面グリル５０の天面には上部吸込み口５１が形成されており、前面グリル５０の前面には前部吸込み口５２が形成されている。前面グリル５０の前面には、前面グリルの前面を覆うように前面パネル６０が取り付けられている。前面パネル６０は下端部を中心に回動することによって、前面グリル５０の前部吸込み口５２を開閉することができる。
【００３２】
また、前面グリル５０には、空気調和機１の運転状況を表示する表示部５３（図７参照）が設けられている。表示部５３は、空気調和機１の前方から視認可能なように設けられている。表示部５３は、複数のＬＥＤからなり、点灯の有無で空気調和機１の運転状況を表示する。
【００３３】
〔フィルタ清掃機構４０〕
フィルタ清掃機構４０は、フィルタ２１に付着した塵埃を自動的に清掃する機構であり、フィルタユニット２０とブラシユニット７０とを備える。
【００３４】
〈フィルタユニット２０〉
フィルタユニット２０は、本体ユニット１０の底フレーム１１に取り付けられており、フィルタユニットフレーム２２、フィルタ２１、フィルタ駆動ギア２３、フィルタ駆動部２４（図７参照）などを備えている。
【００３５】
フィルタユニットフレーム２２は、フィルタ２１を支持する部材であり、室内熱交換器１２よりも風上側に配置されている。フィルタユニットフレーム２２は、室内熱交換器１２の前方および上方を覆うように屈曲した形状を有しており、フィルタユニットフレーム２２の室内熱交換器１２に対向する部分には格子状の開口が設けられている。また、図２に示すように、フィルタユニットフレーム２２の内側面には、フィルタ２１の側端部に接触してフィルタ２１を案内するガイド部２５が形成されている。ガイド部２５は、フィルタユニットフレーム２２の上面に沿って設けられた上ガイド部２６と、フィルタユニットフレーム２２の前面に沿って緩やかに湾曲した形状を有する前ガイド部２７と、フィルタユニットフレーム２２の背面に沿って緩やかに湾曲した後ガイド部２８と、前ガイド部２７の下端と後ガイド部２８の下端との下方に配置された下ガイド部２９とを有する。なお、前ガイド部２７の上端と後ガイド部２８の上端とはそれぞれ上ガイド部２６と繋がっている。また、下ガイド部２９は、前ガイド部２７から後ガイド部２８へ又は後ガイド部２８から前ガイド部２７へフィルタ２１を折り返すように下に凸に湾曲した円弧状の形状を有している。
【００３６】
フィルタ２１は、室内および室外から取り込まれた空気が透過するように室内熱交換器１２の前面側（風上側）に配置されており、透過した空気から塵埃を除去する。これにより、フィルタ２１は、空気中に浮遊する塵埃が室内熱交換器１２を汚染するのを防止する。なお、フィルタ２１は、上下対称の形状を有しており、上下どちらの向きからでもフィルタユニットフレーム２２に取付可能となっている。また、フィルタ２１は左右に並んで同形状のものが２つ設けられており、これらのフィルタ２１はフィルタユニットフレーム２２の左右どちらの取付位置にも取付可能となっている。
【００３７】
フィルタ駆動ギア２３は、下ガイド部２９に対してフィルタ２１が通る隙間を隔てて下ガイド部２９の上方に配置されている。フィルタ駆動ギア２３は、フィルタ２１の側端部に係止し、フィルタ駆動部２４によって回転駆動されることによって、フィルタ２１をガイド部２５に沿って移動させる。
【００３８】
フィルタ駆動部２４は、後述する制御部８０によって制御されるモータであり、フィルタユニットフレーム２２に取り付けられている。フィルタ駆動部２４は、上述したようにフィルタ駆動ギア２３を回転駆動する。
【００３９】
〈ブラシユニット７０〉
ブラシユニット７０は、フィルタ２１の清掃を行う機能を有するものであり、前面パネル６０の下部において、本体ユニット１０の吹出し口１５の上部位置に取り付けられている。このブラシユニット７０は、前面パネル６０が閉じた状態で、前面パネル６０とは干渉することなく、外部から着脱可能である。ブラシユニット７０は、フレーム部７１と、ブラシ部７２と、ブラシ駆動部７３（図７参照）と、ブラシ清掃部７４と、塵埃受け部７５とを有する。
【００４０】
フレーム部７１は、図３に示すように、空気調和機１の長手方向に沿った細長い外形を有しており、ブラシ部７２が着脱可能に取り付けられる。なお、図３は、塵埃受け部７５が取り外された状態のブラシユニット７０を斜め下方から見た斜視図である。また、図４に示すように、フレーム部７１の上面には開口７１ａが形成されており、フレーム部７１の上面の開口７１ａを通してブラシ部７２がフレーム部７１の上方の空間に露出している。なお、図４は、ブラシユニット７０の縦断面図である。フレーム部７１は、下ガイド部２９において折り返される際のフィルタ２１の折返し部分の下方に位置するように配置されており（図２参照）、フレーム部７１の上面の開口７１ａを通してブラシ部７２がフィルタ２１の折返し部分に接触するように構成されている。また、フレーム部７１の下面は開放されており、塵埃受け部７５によって閉じられる。
【００４１】
ブラシ部７２は、図４に示すように、芯材７６と、芯材７６の周面に設けられた複数の線材７７とを有し、線材７７がフィルタ２１に接触することによりフィルタ２１から塵埃を除去する。芯材７６は、空気調和機１の長手方向に平行な回転軸７６ａを有する細長い円筒形状を有しており（図３参照）、ブラシ駆動部７３によって回転駆動される。ここで、芯材７６の表面には、図５に示すように、複数の線材７７がまとまって構成された束７８が複数設けられており、複数の束７８が所定間隔を隔てて配置されている。具体的には、細長いテープ上において、テープの幅方向に４列、長手方向に多数列の線材７７の束７８が配列されており、このテープが芯材７６の周面に螺旋状に巻回されることによって、芯材７６の周面に線材７７の複数の束７８が所定間隔で配置されている。なお、図５では、線材７７の束７８を簡略化して円で表し、その１つのみに符号を付して他は省略している。
【００４２】
ブラシ駆動部７３は、後述する制御部８０によって制御されるモータであり、ブラシ部７２を回転駆動する。
【００４３】
ブラシ清掃部７４は、フレーム部７１の下端に取り付けられており、ブラシ部７２の回転軸７６ａの軸方向に沿って配置されブラシ部７２に接触する櫛状の形状を有する（図３参照）。ブラシ清掃部７４は、ブラシ部７２の線材７７に接触しており、ブラシ部７２が回転することによって、ブラシ部７２から塵埃を掻き落とすことができる。図５に示すように、ブラシ清掃部７４の櫛歯７９は先細りの山形の形状を有しており、線材７７の複数の束７８が櫛歯７９の間の谷部７９ａに導かれ易くなっている。また、線材７７の束７８の配置およびブラシ清掃部７４の櫛歯７９の配置は、ブラシ部７２が回転することによって線材７７の複数の束７８がブラシ清掃部７４の櫛歯７９の１つの谷部７９ａに導かれるように設定されている。すなわち、近接する２つの束７８の軸方向のピッチＰ１は、櫛歯７９の山部７９ｂの頂点間のピッチＰ２よりも小さく設定されており、２つの束７８が１つの谷部７９ａに導かれ易くなっている。また、近接する２つの束７８と他の近接する２つの束７８との間のピッチＰ３は、近接する２つの束７８の間のピッチＰ１よりも大きく設定されており、一部の谷部７９ａに過度に多くの束７８が集中しないようにされている。
【００４４】
さらに、図４に示すように、ブラシ清掃部７４は、フレーム部７１の背面の下端部からブラシ部７２に向けて斜め前上方に突出するように設けられており、鉛直方向に対して、線材７７がブラシ清掃部７４の櫛歯７９に向かう方向（図４の矢印Ａ１参照）と反対側に傾斜している。そして、ブラシ清掃部７４は、芯材７６よりも下側において線材７７の先端部に接触するように且つ芯材７６の中心の真下よりも後方に配置されており、ブラシ清掃部７４の櫛歯７９の間の谷部７９ａおよび山部７９ｂは、線材７７が描く円状の軌跡の外周７７ａよりも半径方向内側に位置している。なお、図６に示すように、ブラシ清掃部７４は、ブラシ部７２の取り外し方向（矢印Ａ２参照）への芯材７６の軌跡７６ａに交差しないように、芯材７６の軌跡７６ａの下側に設けられている。
【００４５】
塵埃受け部７５は、図４に示すように、フレーム部７１に取り付けられた状態でブラシ清掃部７４の下方に配置される。塵埃受け部７５は、ブラシ清掃部７４によってブラシ部７２から掻き落とされた塵埃をブラシ清掃部７４の下方で受け止め、貯留することができる。また、塵埃受け部７５は、フレーム部７１に着脱可能に取り付けられているため、塵埃受け部７５を取り外すことによって、塵埃受け部７５に貯留された塵埃を容易に処理することができる。
【００４６】
〔制御部８０〕
図７に示す制御部８０は、空気調和機１の電装品ユニット１４と室外機の電装品ユニット（図示せず）とに分かれて設けられており、リモコン８１からの指示や、各種のセンサ（図示せず）からの情報に基づいて、冷房運転や暖房運転などの各種の空気調和運転を行うことができる。また、この空気調和機１では、フィルタ２１を自動的に清掃するフィルタ清掃運転を行うことができる。以下、フィルタ清掃運転時の動作について説明する。
【００４７】
まず、上記の空気調和運転時には、フィルタ２１が図２に示す通常位置に位置した状態で運転が行われる。この通常位置では、フィルタ２１は、上ガイド部２６、前ガイド部２７に沿って配置されており、フィルタ２１の下端はフィルタ駆動ギア２３と下ガイド部２９との間に位置している。そして、前回のフィルタ清掃運転の実行から所定時間が経過した等の所定のフィルタ清掃運転開始条件が満たされた場合に、フィルタ清掃運転が開始される。
【００４８】
まず、制御部８０は、図２の状態から、フィルタ駆動部２４を駆動することによりフィルタ２１を移動させると共に、ブラシ駆動部７３を駆動することによってブラシ部７２を回転駆動する。そうすると、フィルタ２１の上部が上ガイド部２６に沿って下降すると共に、フィルタ２１の下部は下ガイド部２９において上方に折り返され、後ガイド部２８に沿って上昇していく。この際、ブラシ部７２も回転しており、ブラシ部７２の上部がフレーム部７１の開口７１ａ（図４参照）を通してフィルタ２１の表面に接触することにより、フィルタ２１の表面から塵埃を除去する。また、ブラシ部７２の下部はブラシ清掃部７４に接触しており、ブラシ部７２が回転することにより、ブラシ部７２に付着していた塵埃がブラシ清掃部７４の櫛歯７９によってブラシ部７２から塵埃受け部７５に掻き落とされる。フィルタ２１の上端が下ガイド部２９まで達すると、フィルタ駆動部２４が停止され、フィルタ２１の移動が停止する。
【００４９】
次に、フィルタ駆動部２４が逆方向に駆動され、フィルタ２１が上記とは逆方向に移動する。この際、ブラシ駆動部７３の駆動は停止されている。そして、フィルタ２１が、図２に示す通常使用位置にまで復帰したときにフィルタ駆動部２４が停止され、フィルタ清掃運転が完了する。
【００５０】
なお、このフィルタ清掃運転時には、前面パネル６０および水平フラップ１７は共に閉状態とされる。
【００５１】
＜特徴＞
（１）
この空気調和機１では、ブラシ部７２が回転することによって、ブラシ部７２の線材７７が、ブラシ清掃部７４の櫛歯７９の間に導かれ、櫛歯７９の間の谷部７９ａにおいてしごかれる。これによって、ブラシ部７２の線材７７の間に挟まった塵埃を容易に掻き落とすことができる。このため、ブラシ部７２から埃を十分に除去することができ、フィルタ清掃能力の低下を抑えることができる。
【００５２】
また、ブラシ部７２の線材７７の束７８およびブラシ清掃部７４の櫛歯７９が上記のように配置されることにより、ブラシ部７２が回転することによって、線材７７の複数の束７８が櫛歯７９の１つの谷部７９ａに導かれる。このため、櫛歯７９の間に導かれる線材７７の密度が高くなり、塵埃を線材７７からより十分に掻き落とすことができる。
【００５３】
さらに、ブラシ清掃部７４は、鉛直方向に対して、線材７７がブラシ清掃部７４の櫛歯７９に向かう方向と反対側に傾斜している。このため、ブラシ部７２の塵埃をより効率よく掻き落とすことができる。また、ブラシ部７２から除去された塵埃が下方に落下し易くなっており、塵埃が櫛歯７９を乗り越えてブラシ部７２に戻り難くなっている。
【００５４】
（２）
この空気調和機１では、ブラシ清掃部７４が、ブラシ部７２の取り外し方向への芯材７６の軌跡に交差しないように設けられているため、ブラシ部７２の取り外し時にブラシ清掃部７４に干渉し難くなっている。このため、ブラシ部７２をフレーム部７１から取り外す際にブラシ清掃部７４が邪魔にならず、ブラシ部７２を容易に取り外すことができる。
【００５５】
＜他の実施形態＞
（１）
上記の実施形態では、ブラシ清掃部７４はフレーム部７１に取り付けられているが、ブラシ清掃部７４がフレーム部７１に一体化されていてもよい。
【００５６】
（２）
上記の実施形態では、ブラシ部７２の線材７７の束７８は、テープの幅方向に４つ配列されているが、束７８の数はこれに限られるものではない。また、上記の実施形態では、２つの束７８がブラシ清掃部７４の１つの谷部７９ａに導かれるように線材７７の束７８および櫛歯７９のピッチＰ１，Ｐ２が設定されているが、抵抗が過度に大きくならない範囲内で２つ以上の束７８が１つの谷部７９ａに導かれるようにピッチが設定されてもよい。
【００５７】
（３）
上記のフィルタ２１を正方形の外形に形成して、９０度ずつ回転させたいずれの状態でもフィルタユニットフレーム２２に取付可能としてもよい。また、フィルタ２１の表裏を同形状とすることにより、裏表いずれの向きでもフィルタユニットフレーム２２に取付可能としてもよい。
【産業上の利用可能性】
【００５８】
本発明は、フィルタの清掃能力の低下を抑えることができる効果を有し、フィルタ清掃機構および空気調和機として有用である。
【図面の簡単な説明】
【００５９】
【図１】空気調和機の分解斜視図。
【図２】空気調和機の縦断面図。
【図３】ブラシユニットの斜視図。
【図４】ブラシユニットの縦断面図。
【図５】櫛歯と線材の束との位置関係を示す図。
【図６】ブラシ部を取り外す際の軌跡を示す図。
【図７】空気調和機の制御ブロック図。
【符号の説明】
【００６０】
１      空気調和機
２１    フィルタ
４０    フィルタ清掃機構
７１    フレーム部
７２    ブラシ部
７３    ブラシ駆動部
７４    ブラシ清掃部
７５    塵埃受け部
７６    芯材
７７    線材
７８    線材の束
７９    櫛歯
７９ａ  谷部